(57)【要約】【課題】組付作業の煩雑化を抑制しながら、ロックナットが緩まないようにすることが可能なケーブルグランドを提供する。【解決手段】ケーブルグランド１００は、グランド本体１と、スリーブ３と、キャップ２と、ロックナット６とを備える。グランド本体１の取付部１３には回止め溝１３２が形成されるとともに、ロックナット６には径方向に延びるガイドレール６２が形成されている。そして、ケーブルグランド１００は、ガイドレール６２に沿ってスライド移動可能なスライド部７１と、回止め溝１３２に嵌合されるロック爪部７２とを有するロックピース７を備える。【選択図】図３
2020137272.tif 000002
【特許請求の範囲】
【請求項１】
ケーブルの挿通が可能な筒状の部材であって、鍔部とその鍔部を挟んだ両側にそれぞれ設けられた円筒形状のケーブル保持部及び取付部とを有し、それらケーブル保持部及び取付部の外周面にそれぞれ雄ねじが形成されたグランド本体と、
前記ケーブルを通す挿通孔を有し、前記ケーブル保持部に嵌め込まれるスリーブと、
前記ケーブル保持部の雄ねじに噛み合う雌ねじが形成されたキャップと、
前記取付部の雄ねじに噛み合う雌ねじが形成されたロックナットと、を備え、
前記グランド本体の取付部を、ケーブルグランドを取り付ける壁体に形成された取付孔に差し込んだ状態で、その取付部に前記ロックナットをねじ込むことにより前記グランド本体を前記壁体に取り付け、前記グランド本体のケーブル保持部に前記スリーブを嵌め込んだ状態で前記キャップを当該ケーブル保持部にねじ込む構造のケーブルグランドにおいて、
前記グランド本体の取付部には回止め溝が形成されているとともに、前記ロックナットには径方向に延びるガイドレールが形成され、
前記ガイドレールに沿ってスライド移動可能なスライド部と、前記回止め溝に嵌合されるロック爪部とを有するロックピースを備えることを特徴とするケーブルグランド。
【請求項２】
請求項１に記載のケーブルグランドにおいて、
前記ガイドレール及び前記スライド部のうち、一方には凹部が形成されるとともに、他方には突部が形成されており、
前記凹部及び前記突部は、前記ロック爪部が前記回止め溝に嵌合されるときに係合され、前記ガイドレールに対する前記スライド部の移動を規制するように構成されていることを特徴とするケーブルグランド。
【請求項３】
請求項１または２に記載のケーブルグランドにおいて、
前記ロックナットには、前記ガイドレールが複数形成されていることを特徴とするケーブルグランド。
【発明の詳細な説明】
【技術分野】
【０００１】
本発明は、ケーブルを保持するケーブルグランドに関する。
【背景技術】
【０００２】
電気機器にケーブルを接続する際、電気機器の筐体等に取り付けたケーブルグランドを介してケーブルを保持する技術が公知である（例えば、特許文献１参照）。
【０００３】
ケーブルグランドとしては、例えば、ケーブルの挿通が可能な筒状の部材であって鍔部及びその鍔部を挟んだ両側に雄ねじが形成された筒状のグランド本体、このグランド本体に嵌め込まれるスリーブ、グランド本体の一方側（スリーブが嵌め込まれる側）の雄ねじにねじ込まれるキャップ（袋ナット）、及びグランド本体を壁体に固定するロックナットなどを備えたものがある。
【０００４】
このようなケーブルグランドでは、グランド本体の他方側の雄ねじを、電気機器の筐体の壁体（以下、電気機器の壁体ともいう）に形成された取付孔に壁体の表側から差し込んだ状態で、その他方側の雄ねじにロックナットを壁体の裏側（筐体の内側）からねじ込むことによってグランド本体を壁体に取り付ける。その後に、スリーブの挿通孔にケーブルを挿通した状態で当該スリーブをグランド本体に嵌め込み、グランド本体の一方側の雄ねじにキャップをねじ込んでスリーブを締め付ける。このようにしてキャップにてスリーブを締め付けることにより、スリーブが縮径方向に変形し、スリーブの挿通孔の内周面とケーブルの外周面とが密着する。これによって、電気機器の筐体内に水、油、塵、埃などが侵入するのを防止することができるとともに、ケーブル自体をしっかりと保持・固定することができる。
【０００５】
なお、上記ケーブルグランドにおいて、グランド本体の鍔部は例えば略六角形状に形成されており、スパナ等の工具を掛けることができる。
【０００６】
ところで、上記構造のケーブルグランドにあっては、壁体に取り付けたグランド本体にキャップをねじ込む際に、例えば、キャップの締め付け力が大きい場合、グランド本体が回転してしまい、ロックナットが緩むことがある。また、キャップをグランド本体に締め付けた後に、キャップを緩める際にロックナットが緩むことがある。そして、グランド本体やロックナットが緩んだままの状態で作業を終了すると、グランド本体の鍔部と取付側の壁体との間に配置するパッキンの面圧（鍔部がパッキンを押圧する面圧）を確保することができなくなり、ケーブルグランドの気密・水密性が低下して漏水等が生じるおそれがある。
【０００７】
そこで、従来では、壁体に対してグランド本体が回り止めされたケーブルグランドが提案されている（例えば、特許文献２参照）。
【０００８】
特許文献２のケーブルグランドは、壁体とロックナットとの間に配置されるワッシャを備え、そのワッシャには第１舌片及び第２舌片が設けられている。また、グランド本体の取付部には回止め溝が形成され、壁体の取付孔の周縁には切欠きが形成されている。そして、ワッシャの第１舌片がグランド本体の回止め溝に嵌り込むとともに、ワッシャの第２舌片が壁体の切欠きに嵌り込むことにより、壁体に対するグランド本体の回転が規制される。
【先行技術文献】
【特許文献】
【０００９】
【特許文献１】特開２００７−３７３６４号公報
【特許文献２】特許第６２３９６９６号公報
【発明の概要】
【発明が解決しようとする課題】
【００１０】
しかしながら、上記した従来のケーブルグランドでは、筐体の壁体にケーブルグランドを組み付ける際に、壁体の取付孔に切欠きを形成する必要があるので、組付作業が煩雑化するという問題点がある。すなわち、壁体の取付孔に対して二次加工（切欠きの形成）が必要になるとともに、その二次加工の際に特殊な工具が必要になる。
【００１１】
本発明は、上記の課題を解決するためになされたものであり、本発明の目的は、組付作業の煩雑化を抑制しながら、ロックナットが緩まないようにすることが可能なケーブルグランドを提供することである。
【課題を解決するための手段】
【００１２】
本発明によるケーブルグランドは、ケーブルの挿通が可能な筒状の部材であって、鍔部とその鍔部を挟んだ両側にそれぞれ設けられた円筒形状のケーブル保持部及び取付部とを有し、それらケーブル保持部及び取付部の外周面にそれぞれ雄ねじが形成されたグランド本体と、前記ケーブルを通す挿通孔を有し、前記ケーブル保持部に嵌め込まれるスリーブと、前記ケーブル保持部の雄ねじに噛み合う雌ねじが形成されたキャップと、前記取付部の雄ねじに噛み合う雌ねじが形成されたロックナットと、を備え、前記グランド本体の取付部を、ケーブルグランドを取り付ける壁体に形成された取付孔に差し込んだ状態で、その取付部に前記ロックナットをねじ込むことにより前記グランド本体を前記壁体に取り付け、前記グランド本体のケーブル保持部に前記スリーブを嵌め込んだ状態で前記キャップを当該ケーブル保持部にねじ込む構造のケーブルグランドにおいて、前記グランド本体の取付部には回止め溝が形成されているとともに、前記ロックナットには径方向に延びるガイドレールが形成され、前記ガイドレールに沿ってスライド移動可能なスライド部と、前記回止め溝に嵌合されるロック爪部とを有するロックピースを備える。
【００１３】
このように構成することによって、ロックピースにより、グランド本体とロックナットとが相対回転しないように固定されるので、ロックナットが緩まないようにすることができる。また、壁体の取付孔に切欠きを形成する必要がないので、組付作業の煩雑化を抑制することができる。
【００１４】
上記ケーブルグランドにおいて、ガイドレール及びスライド部のうち、一方には凹部が形成されるとともに、他方には突部が形成されており、凹部及び突部は、ロック爪部が回止め溝に嵌合されるときに係合され、ガイドレールに対するスライド部の移動を規制するように構成されていてもよい。
【００１５】
上記ケーブルグランドにおいて、前記ロックナットには、前記ガイドレールが複数形成されていてもよい。
【発明の効果】
【００１６】
本発明のケーブルグランドによれば、組付作業の煩雑化を抑制しながら、ロックナットが緩まないようにすることができる。
【図面の簡単な説明】
【００１７】
【図１】本実施形態によるケーブルグランドを示した斜視図である。
【図２】図１のケーブルグランドを示した分解斜視図である。
【図３】図１のケーブルグランドが壁体の取付孔に取り付けられた状態を示した断面図である。
【図４】図２のロックナットのガイドレールを拡大して示した斜視図である。
【図５】図２のロックピースを拡大して示した斜視図である。
【発明を実施するための形態】
【００１８】
以下、本発明の実施形態を図面に基づいて説明する。
【００１９】
本実施形態のケーブルグランド１００は、図２に示すように、グランド本体１、キャップ２、スリーブ３、スリーブコレット４、パッキン５、ロックナット６、及びロックピース７などを備えている。
【００２０】
グランド本体１は、略円筒形状の部材（例えば樹脂製）であって、軸方向（円筒の軸方向）の中央部に略六角形状の鍔部１２が形成されており、この鍔部１２を挟んだ両側（Ｘ１及びＸ２方向側）に、それぞれ円筒形状のケーブル保持部１１と取付部１３とが形成されている。ケーブル保持部１１の外周面には雄ねじ１１１が形成されている。また、取付部１３の外周面には雄ねじ１３１が形成されている。取付部１３は、後述する電気機器の筺体１６０の壁体１６１（以下、電気機器の壁体１６１ともいう）に形成された取付孔１６１ａ（図３参照）に差し込まれる。
【００２１】
なお、以下の説明では、グランド本体１のケーブル保持部１１側（ケーブルグランド１００のキャップ２側）を前方側という。
【００２２】
また、グランド本体１には、ケーブル挿通用の挿通孔（貫通孔）１ａが軸方向に沿って形成されている。挿通孔１ａは段付き孔であって、当該挿通孔１ａの軸方向の途中には、後述するスリーブ３が圧入される円すいテーパ面１１２（図３参照）が形成されており、この円すいテーパ面１１２の前方側からスリーブ３が嵌め込まれる。
【００２３】
さらに、グランド本体１には、取付部１３の外周面に、軸方向に沿って延びる１条の回止め溝１３２が形成されている。この回止め溝１３２の深さは、雄ねじ１３１のねじ山の高さよりも大きい。また、回止め溝１３２の幅は、後述するロックピース７のロック爪部７２が嵌り込むことが可能な大きさとなっている。
【００２４】
スリーブ３は、筒体（例えばゴム製）であって、ケーブル１５０（図３参照）を通す挿通孔３ａが軸方向に沿って形成されている。スリーブ３の軸方向の長さは、スリーブ３がグランド本体１のケーブル保持部１１に嵌まり込んだ状態で、グランド本体１の端部（前方側の端部）から所定量突出する長さとなっている。
【００２５】
スリーブコレット４は、スリーブ３に装着され、スリーブ３が圧入される際の変形を規正するように構成されている。このスリーブコレット４は、円筒状に形成された円筒状部４ａと、円筒状部４ａの一方端部（Ｘ１方向側の端部）に形成された内フランジ部４ｂとを有する。スリーブコレット４には、ケーブル１５０が挿通される開口部４ｃが設けられている。
【００２６】
円筒状部４ａは、スリーブ３の外周面を覆うように形成され、スリーブ３とケーブル保持部１１の内周面との間に介在されるように構成されている。円筒状部４ａの他方側（Ｘ２方向側）には、縮径しやすくするための複数のスリット４１が形成されている。スリット４１は、軸方向に延びるように形成され、周方向に間隔を隔てて配置されている。内フランジ部４ｂは、スリーブ３の一方端面（Ｘ１方向側の端面）を覆うように形成され、スリーブ３とキャップ２の前壁部２ａとの間に介在されるように構成されている。
【００２７】
キャップ２は、外周面が略六角形状の周壁部２ｂと、その周壁部２ｂの前方側を覆う前壁部２ａとを有する袋ナット状の部材（例えば樹脂製）である。周壁部２ｂの内周面には、グランド本体１のケーブル保持部１１の雄ねじ１１１に噛み合う雌ねじ２２が形成されている。前壁部２ａの中央には、ケーブル１５０を通すための円形孔２１が形成されている。
【００２８】
パッキン５は、円形孔５ａを有する円環状の部材（例えばゴム製）であって、グランド本体１の鍔部１２と電気機器の壁体１６１との間に挟み込まれる（図３参照）。パッキン５の内径は、取付孔１６１ａの直径とほぼ一致するように形成され、パッキン５の外径は、鍔部１２の外径とほぼ一致するように形成されている。
【００２９】
ロックナット６は、グランド本体１を電気機器の壁体１６１に固定するためのナット（例えば樹脂製）であって、グランド本体１の取付部１３の雄ねじ１３１に噛み合う雌ねじ６１が形成されている。このロックナット６の後端面（Ｘ２方向側の端面）には、複数（６つ）のガイドレール６２が形成されている。複数のガイドレール６２は、周方向に所定の間隔を隔てて配置されている。
【００３０】
各ガイドレール６２は、図４に示すように、断面Ｔ字状部を有し、その断面Ｔ字状部が径方向に延びるように形成されている。ガイドレール６２の後方側の面（Ｘ２方向側の面）には、凹部６２ａが形成されている。凹部６２ａは、断面が三角形状に形成され、接線方向（径方向と直交する方向）に延びるように形成されている。
【００３１】
ロックピース７（図１参照）は、グランド本体１とロックナット６とが相対回転しないように固定するために設けられている。ロックピース７は、図５に示すように、ガイドレール６２に沿ってスライド移動可能なスライド部７１と、回止め溝１３２（図３参照）に嵌合されるロック爪部７２とを有する。ロック爪部７２は、スライド部７１から径方向内側に突出するように形成されている。
【００３２】
スライド部７１は、断面がＴ字状の溝７１ａを有するリップ溝形状に形成されている。溝７１ａは、ガイドレール６２と嵌合可能に構成されている。そして、スライド部７１は、ガイドレール６２に溝７１ａが嵌合された状態で、ガイドレール６２に沿って径方向に移動可能に構成されている。溝７１ａの内面（底面）には、突部７１ｂが形成されている。突部７１ｂは、断面が円弧状に形成され、スライド方向（溝７１ａが延びる方向）と直交する方向に延びるように形成されている。
【００３３】
そして、図３に示すように、ロック爪部７２が回止め溝１３２に嵌合されるときに、スライド部７１の突部７１ｂがガイドレール６２の凹部６２ａに係合され、ガイドレール６２に対するスライド部７１の移動が規制されるようになっている。すなわち、突部７１ｂ及び凹部６２ａが係合されることにより、ロックピース７がロックナット６に取り付けられる。なお、突部７１ｂの断面が円弧状に形成されていることから、ロックナット６に取り付けられたロックピース７を、ロックナット６から取り外すことが可能である。
【００３４】
ケーブルグランド１００を取り付ける電気機器の壁体１６１には、図２及び図３に示すように、円形の取付孔１６１ａが形成されている。取付孔１６１ａの直径は、グランド本体１の取付部１３の雄ねじ１３１の外径よりも所定量だけ大きい。
【００３５】
上記したように、ケーブルグランド１００では、ロックピース７のロック爪部７２がグランド本体１の回止め溝１３２に嵌合されることにより、ロックナット６がグランド本体１に対して回転しないので、グランド本体１及びロックナット６の緩みを防止することが可能である。
【００３６】
次に、以上の構造のケーブルグランド１００の取付手順について説明する。
【００３７】
（Ｓ１）まず、スリーブ３及びキャップ２をグランド本体１から分解しておく。また、スリーブ３にスリーブコレット４を装着する。
【００３８】
（Ｓ２）グランド本体１の取付部１３にパッキン５を嵌め込み、その取付部１３を電気機器の壁体１６１の取付孔１６１ａに当該壁体１６１の表側（電子機器の筐体１６０の表側）から差し込む。このため、グランド本体１の鍔部１２と壁体１６１との間にパッキン５が挟み込まれた状態になる。
【００３９】
（Ｓ３）壁体１６１の取付孔１６１ａに差し込んだグランド本体１の取付部１３の雄ねじ１３１（壁体１６１の裏側に突出している部分の雄ねじ１３１）に、壁体１６１の裏側（電子機器の筐体１６０の内側）からロックナット６をねじ込むことによって、グランド本体１を壁体１６１に取り付ける（固定する）。
【００４０】
（Ｓ４）ロックナット６の複数のガイドレール６２のうちのいずれか一つが、グランド本体１の回止め溝１３２と対応する位置に配置される。次に、回止め溝１３２と対応するガイドレール６２にロックピース７が取り付けられる。具体的には、そのガイドレール６２の径方向外側からロックピース７が挿し込まれ、ロックピース７のスライド部７１の溝７１ａがガイドレール６２に嵌合される。このとき、ロック爪部７２がスライド部７１に対して径方向内側に配置される。そして、ロックピース７が径方向内側に押し込まれることにより、スライド部７１がガイドレール６２に沿って径方向内側に移動される。このため、スライド部７１の突部７１ｂがガイドレール６２の凹部６２ａに係合されるとともに、ロック爪部７２が回止め溝１３２に嵌合される。これにより、ロックナット６がグランド本体１に対して相対回転しないように固定されるとともに、ガイドレール６２に対するスライド部７１の径方向への移動が規制される。
【００４１】
（Ｓ５）以上のグランド本体１の取付が完了した後、スリーブ３及びキャップ２にケーブル１５０を通した状態で、スリーブ３をグランド本体１のケーブル保持部１１に嵌め込み、次いでキャップ２の雌ねじ２２をグランド本体１の雄ねじ１１１に合わせてキャップ２をグランド本体１にねじ込んでゆく。このキャップ２のねじ込み過程において、円すいテーパ面１１２とケーブル１５０との間にスリーブ３が押し込まれ、スリーブ３が弾性変形して圧入される。その際に、スリーブコレット４が円すいテーパ面１１２に沿って縮径するように弾性変形されることによってスリーブ３の変形が規正される。そして、キャップ２のねじ込み（締め付け）が完了した状態で、スリーブ３の挿通孔３ａの内周面とケーブル１５０の外周面とが密着する。これによって、電気機器の筐体１６０内に塵や埃などが侵入するのを防止することができるとともに、ケーブル１５０をしっかりと保持・固定することができる。
【００４２】
−効果−
本実施形態では、上記のように、グランド本体１の取付部１３に回止め溝１３２が形成されるとともに、ロックナット６に径方向に延びるガイドレール６２が形成されている。そして、ガイドレール６２に沿ってスライド移動可能なスライド部７１と、回止め溝１３２に嵌合されるロック爪部７２とを有するロックピース７が設けられている。このように構成することによって、ロックピース７により、グランド本体１とロックナット６とが相対回転しないように固定されるので、ロックナット６が緩まないようにすることができる。したがって、グランド本体１及びロックナット６が緩むことによって発生する不具合、例えば、パッキン５の面圧（グランド本体１の鍔部１２がパッキン５を押圧する面圧）が減少することにより生じる漏水等のおそれがなくなるので、ケーブルグランド１００の気密・液密性を確保することができる。また、壁体１６１の取付孔１６１ａに切欠きを形成する必要がないので、既存のケーブルグランドと二次加工なしで交換することができる。
【００４３】
また、本実施形態では、ガイドレール６２に凹部６２ａが形成されるとともに、ロックピース７に突部７１ｂが形成されることによって、ロック爪部７２が回止め溝１３２に嵌合された状態で、ガイドレール６２に対するスライド部７１の移動を規制することができる。
【００４４】
また、本実施形態では、ガイドレール６２が複数設けられることによって、ガイドレール６２を回止め溝１３２と対応する位置に配置しやすくすることができる。
【００４５】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味及び範囲内でのすべての変更が含まれる。
【００４６】
例えば、上記実施形態では、ガイドレール６２に凹部６２ａが形成され、ロックピース７に突部７１ｂが形成される例を示したが、これに限らず、ガイドレールに突部が形成され、ロックピースに凹部が形成されるようにしてもよい。
【００４７】
また、上記実施形態では、ロックナット６に６つのガイドレール６２が設けられる例を示したが、これに限らず、ロックナットに設けられるガイドレールの数がいくつであってもよい。
【００４８】
また、上記実施形態では、グランド本体１の取付部１３に１条の回止め溝１３２が設けられる例を示したが、これに限らず、グランド本体の取付部に複数条の回止め溝が設けられていてもよい。
【産業上の利用可能性】
【００４９】
本発明は、電気機器等にケーブルを保持する際に使用されるケーブルグランドに利用可能である。
【符号の説明】
【００５０】
１        グランド本体
２        キャップ
３        スリーブ
３ａ      挿通孔
６        ロックナット
７        ロックピース
１１      ケーブル保持部
１２      鍔部
１３      取付部
２２      雌ねじ
６１      雌ねじ
６２      ガイドレール
６２ａ    凹部
７１      スライド部
７１ａ    溝
７１ｂ    突部
７２      ロック爪部
１００    ケーブルグランド
１１１    雄ねじ
１３１    雄ねじ
１３２    回止め溝
１５０    ケーブル
１６０    筐体
１６１    壁体
１６１ａ  取付孔
【図１】
2020137272.tif 000003
【図２】
2020137272.tif 000004
【図３】
2020137272.tif 000005
【図４】
2020137272.tif 000006
【図５】
2020137272.tif 000007